【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
遊技に関わる制御を行う制御基板と、該制御基板を収納する基板収納ボックスと、を備えた遊技機において、
前記基板収納ボックスは、前記制御基板の収納開口部を形成する側壁部が立設された筐体形状のベース体と、該ベース体の前記側壁部を内嵌する外壁部が立設されて前記収納開口部を覆う筐体形状のカバー体と、該カバー体と前記ベース体とに跨って貼付される封印シールと、前記ベース体と前記カバー体の組み付け状態を固定するロック部材と、を備え、
前記封印シールは、識別情報が格納されたＩＣチップと、該ＩＣチップを起点として一方向又は複数方向に延設されて前記ＩＣチップの識別情報を読取手段に対して送信可能とする長尺状のアンテナ部と、該アンテナ部及び前記ＩＣチップが一体的に配されると共に背面部分に粘着剤層が設けられて前記封印シールを貼り付け可能にするベースシートと、を備えたＩＣタグ封印シールから構成され、
前記ベース体の前記側壁部には、ベース側貼付外面部が形成され、
前記カバー体には、前記外壁部の一部であって前記ベース体との組み付け状態で前記ベース側貼付外面部と面一状態となる側壁部分と当該カバー体の上面から段差状に凹んだ上壁部分とからなるカバー側貼付外面部が形成され、
前記ロック部材は、前記カバー側貼付外面部に形成されるロック取付片部と前記ベース側貼付外面部の内側上部に形成されるロック取付部とを挟持するように形成され、
前記ベース体及び前記カバー体には、前記ロック部材を前記ロック取付片部と前記ロック取付部とに取り付けた状態で、前記ロック部材の外周面が前記ベース側貼付外面部及び前記カバー側貼付外面部と面一状態となるように形成され、
前記ＩＣタグ封印シールは、前記ベースシートが前記ベース側貼付外面部と前記カバー側貼付外面部との合わせ目及び前記ロック部材の全部を被覆した状態で貼付されていることを特徴とする遊技機。
【請求項２】
前記ＩＣタグ封印シールの貼付状態で、前記アンテナ部が前記カバー側貼付外面部と前記ベース側貼付外面部と前記ロック部材の外周面とに跨って配置されると共に、前記ベース側貼付外面部と前記カバー側貼付外面部との合わせ目及び前記ロック部材の外周面に沿って前記ベースシートを切断したときに、前記ＩＣチップを起点とした前記アンテナ部の全ての延設方向において、前記ＩＣチップから切断されたアンテナ部までの長さが、切断前の前記ＩＣチップから前記アンテナ部の先端までの長さの半分以下の長さとなるように分断されることを特徴とする請求項１記載の遊技機。
【請求項３】
前記アンテナ部は、前記ＩＣチップを中心として左右両側方に一直線状に伸びて延設され、前記ベース側貼付外面部及び前記カバー側貼付外面部の合わせ目と前記ロック部材の外周面に沿って前記ベースシートを切断したときに、前記ＩＣチップから切断された左右のアンテナ部までのそれぞれの長さが、切断前の前記ＩＣチップから前記アンテナ部の左右の各先端までのそれぞれの長さの半分以下の長さとなるように分断されることを特徴とする請求項１又は請求項２に記載の遊技機。
【手続補正２】
【補正対象書類名】明細書
【補正対象項目名】０００４
【補正方法】変更
【補正の内容】
【０００４】
（解決手段１）
上記目的を達成するために、本発明の請求項１記載の遊技機は、遊技に関わる制御を行う制御基板と、該制御基板を収納する基板収納ボックスと、を備えた遊技機において、前記基板収納ボックスは、前記制御基板の収納開口部を形成する側壁部が立設された筐体形状のベース体と、該ベース体の前記側壁部を内嵌する外壁部が立設されて前記収納開口部を覆う筐体形状のカバー体と、該カバー体と前記ベース体とに跨って貼付される封印シールと、前記ベース体と前記カバー体の組み付け状態を固定するロック部材と、を備え、前記封印シールは、識別情報が格納されたＩＣチップと、該ＩＣチップを起点として一方向又は複数方向に延設されて前記ＩＣチップの識別情報を読取手段に対して送信可能とする長尺状のアンテナ部と、該アンテナ部及び前記ＩＣチップが一体的に配されると共に背面部分に粘着剤層が設けられて前記封印シールを貼り付け可能にするベースシートと、を備えたＩＣタグ封印シールから構成され、前記ベース体の前記側壁部には、ベース側貼付外面部が形成され、前記カバー体には、前記外壁部の一部であって前記ベース体との組み付け状態で前記ベース側貼付外面部と面一状態となる側壁部分と当該カバー体の上面から段差状に凹んだ上壁部分とからなるカバー側貼付外面部が形成され、前記ロック部材は、前記カバー側貼付外面部に形成されるロック取付片部と前記ベース側貼付外面部の内側上部に形成されるロック取付部とを挟持するように形成され、前記ベース体及び前記カバー体は、前記ロック部材を前記ロック取付片部と前記ロック取付部とに取り付けた状態で、前記ロック部材の外周面が前記ベース側貼付外面部及び前記カバー側貼付外面部と面一状態となるように形成され、前記ＩＣタグ封印シールは、前記ベースシートが前記ベース側貼付外面部と前記カバー側貼付外面部との合わせ目及び前記ロック部材の全部を被覆した状態で貼付されていることを特徴とする。
この構成によれば、カバー体のカバー側貼付外面部に形成されるロック取付片部とベース体のベース側貼付外面部に形成されるロック取付部とにロック部材を取り付けた状態で、当該ロック部材の外周面がベース側貼付外面部及びカバー側貼付外面部と面一状態となるように形成されると共に、ＩＣタグ封印シールのベースシートがベース側貼付外面部とカバー側貼付外面部との合わせ目及びロック部材の全部を被覆した状態で貼付されているため、ＩＣタグ封印シールが鋭利な刃物によって切断されても、ロック部材によってベース体とカバー体とを分離することができないことに加えて、ロック部材の全部がＩＣタグ封印シールによって覆われているため、ロック部材を取り外すには、ロック部材を覆っているＩＣタグ封印シールを取り除かなければならず、事実上、ＩＣタグ封印シールを破損することなくロック部材を取り外すことは不可能であり、ＩＣタグ封印シールの切断による不正行為を確実に防止することができる。
【手続補正３】
【補正対象書類名】明細書
【補正対象項目名】０００５
【補正方法】変更
【補正の内容】
【０００５】
（解決手段２）
解決手段１において、前記ＩＣタグ封印シールの貼付状態で、前記アンテナ部が前記カバー側貼付外面部と前記ベース側貼付外面部と前記ロック部材の外周面とに跨って配置されると共に、前記ベース側貼付外面部と前記カバー側貼付外面部との合わせ目及び前記ロック部材の外周面に沿って前記ベースシートを切断したときに、前記ＩＣチップを起点とした前記アンテナ部の全ての延設方向において、前記ＩＣチップから切断されたアンテナ部までの長さが、切断前の前記ＩＣチップから前記アンテナ部の先端までの長さの半分以下の長さとなるように分断されることを特徴とする請求項１記載の遊技機。
この構成によれば、ＩＣタグ封印シール（ベースシート）がベース側貼付外面部及びカバー側貼付外面部の合わせ目とロック部材の外周面に沿って不正にカッター等の工具で切断されて、基板収納ボックスが開放されるような場合には、このＩＣタグ封印シールの切断に伴ってアンテナ部が分断されることになる。このとき、ベースシートの切断に伴って分断されるアンテナ部は、ＩＣチップから切断されたアンテナ部までの長さが、切断前のＩＣチップからアンテナ部の先端までの長さの半分以下の長さとなるように分断される。このため、ＩＣチップに接続されて半分以下の長さになったアンテナ部から識別情報を含んだ電波の発信が行われ、読取手段による識別情報の読み取りが行われてしまうという不具合を回避することができ、ＩＣタグ封印シールを切断する不正を確実に発見することができる。然も、半分以下となったアンテナ部から識別情報を含んだ電波の発信が行われないようにするためにアンテナ部の感度を細かく調整する必要がないので、微小なキズ等がアンテナ部に入っただけで正規のＩＣタグ封印シールが読取手段で正常と判断できなくなるという不具合を回避することができ、ひいては基板収納ボックスを円滑に検査することができる。
【手続補正４】
【補正対象書類名】明細書
【補正対象項目名】０００６
【補正方法】変更
【補正の内容】
【０００６】
（解決手段３）
解決手段１又は解決手段２において、前記アンテナ部は、前記ＩＣチップを中心として左右両側方に一直線状に伸びて延設され、前記ベース側貼付外面部及び前記カバー側貼付外面部の合わせ目と前記ロック部材の外周面に沿って前記ベースシートを切断したときに、前記ＩＣチップから切断された左右のアンテナ部までのそれぞれの長さが、切断前の前記ＩＣチップから前記アンテナ部の左右の各先端までのそれぞれの長さの半分以下の長さとなるように分断されることを特徴とする請求項１又は請求項２に記載の遊技機。
この場合、アンテナ部を一直線状とすることで比較的簡単な構成で且つ広範囲に亘ってアンテナ部をベース側貼付外面部及びカバー側貼付外面部に貼付することができ、このようにアンテナ部を広範囲に亘って貼付することで、読取手段によるＩＣタグ封印シールの検査可能領域を広げることができる。